【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
感光体、光を発する光源、及び、現像位置と前記現像位置から退避した位置に移動可能な現像部材をそれぞれ備える第１、第２画像形成手段と、前記第１、第２画像形成手段の光源が発する光を反射する回転多面鏡と、前記第２画像形成手段の光源から発せられ前記回転多面鏡で反射された光を検出する検出部と、を有し、前記第１、第２画像形成手段の各々は、それぞれの光源の発する光を前記回転多面鏡で反射してそれぞれの感光体に照射して潜像を形成し、前記現像位置にあるそれぞれの前記現像部材を用いて前記潜像を前記第１、第２画像形成手段の順にトナーで現像可能な画像形成装置において、
前記検出部で光を検出すべく前記第２画像形成手段の光源からの光を前記第２画像形成手段の感光体と前記検出部とに照射し、その時の前記検知部の出力に基づいて前記回転多面鏡の速度を調整する調整動作を実行する調整手段を有し、
前記調整手段は、前記第１画像形成手段が前記感光体に潜像を形成する前に前記調整動作を行い、
前記第１画像形成手段の現像部材は、前記調整動作が終了する前に、前記現像位置への移動を開始し、前記第２画像形成手段の現像部材は、前記調整動作を実行している間、前記現像位置から退避した位置にあることを特徴とする画像形成装置。
【請求項２】
感光体、光を発する光源、及び、現像位置と前記現像位置から退避した位置に移動可能な現像部材をそれぞれ備える第１、第２画像形成手段と、前記第１、第２画像形成手段の光源が発する光を反射する回転多面鏡と、前記第２画像形成手段の光源から発せられ前記回転多面鏡で反射された光を検出する検出部と、を有し、前記第１、第２画像形成手段の各々は、それぞれの光源の発する光を前記回転多面鏡で反射してそれぞれの感光体に照射して潜像を形成し、前記現像位置にあるそれぞれの前記現像部材を用いて前記潜像を前記第１、第２画像形成手段の順にトナーで現像可能な画像形成装置において、
前記検出部で光を検出すべく前記第２画像形成手段の光源からの光を前記第２画像形成手段の感光体と前記検出部とに照射し、その時の前記検知部の出力に基づいて前記回転多面鏡の速度を調整する調整動作を実行する調整手段を有し、
前記調整手段は、前記第１画像形成手段が前記感光体に潜像を形成する前に前記調整動作を行い、
前記第１画像形成手段の現像部材は、前記調整動作が終了する前に、前記現像位置へ到
達することを特徴とする画像形成装置。
【請求項３】
前記調整動作を実行している間、前記第２画像形成手段の現像部材は前記現像位置から退避した位置にあることを特徴とする請求項２に記載の画像形成装置。
【請求項４】
前記調整動作の終了後、前記第１、第２画像形成手段の感光体にそれぞれ潜像を形成することを特徴とする請求項１乃至３のいずれか一項に記載の画像形成装置。
【請求項５】
前記第１、第２画像形成手段の感光体にそれぞれ当接可能な無端状のベルトを有し、前記第２画像形成手段の感光体は、前記第１画像形成手段の感光体よりも前記ベルトの回転方向の下流側に配設されていることを特徴とする請求項１乃至４のいずれか一項に記載の画像形成装置。
【請求項６】
前記調整動作の終了後で前記第２画像形成手段の感光体に潜像を形成する前に、前記第２画像形成手段の現像部材を前記現像位置に到達させることを特徴とする請求項４又は５に記載の画像形成装置。
【請求項７】
前記第１画像形成手段の前記現像部材の前記現像位置への移動を開始してから前記調整動作が完了するまでの間、前記第１画像形成手段の光源を発光させないことを特徴とする請求項１乃至６のいずれか一項に画像形成装置。
【請求項８】
前記調整動作では、前記第２画像形成手段の光源からの光が前記第２画像形成手段の前記感光体から前記検出部に渡って照射されることを特徴とする請求項１乃至７のいずれか一項に記載の画像形成装置。
【請求項９】
前記調整動作では、前記第２画像形成手段の光源からの光が前記検出部から前記第２画像形成手段の前記感光体に渡って照射されることを特徴とする請求項１乃至７のいずれか一項に記載の画像形成装置。
【請求項１０】
前記調整動作は、前記第２画像形成手段の光源を発光し続けることにより、前記検出部に光を複数回検出させることを特徴とする請求項１乃至９のいずれか一項に記載の画像形成装置。
【請求項１１】
前記第１、第２画像形成手段の光源は、それぞれが発する光が前記回転多面鏡の同一面に同じタイミングで入射することを特徴とする請求項１乃至１０のいずれか一項に記載の画像形成装置。
【請求項１２】
前記第１、第２画像形成手段の感光体にそれぞれ当接可能な無端状のベルトを有し、前記第１画像形成手段の感光体に前記ベルトが当接している間に前記調整動作を実行することを特徴とする請求項１乃至１１のいずれか一項に記載の画像形成装置。
【請求項１３】
前記現像位置は、前記現像部材が対応する前記感光体に当接する位置であることを特徴とする請求項１乃至１２のいずれか一項に記載の画像形成装置。
【手続補正２】
【補正対象書類名】明細書
【補正対象項目名】０００８
【補正方法】変更
【補正の内容】
【０００８】
上記目的を達成するために本発明にあっては、
感光体、光を発する光源、及び、現像位置と前記現像位置から退避した位置に移動可能な現像部材をそれぞれ備える第１、第２画像形成手段と、前記第１、第２画像形成手段の光源が発する光を反射する回転多面鏡と、前記第２画像形成手段の光源から発せられ前記回転多面鏡で反射された光を検出する検出部と、を有し、前記第１、第２画像形成手段の各々は、それぞれの光源の発する光を前記回転多面鏡で反射してそれぞれの感光体に照射して潜像を形成し、前記現像位置にあるそれぞれの前記現像部材を用いて前記潜像を前記第１、第２画像形成手段の順にトナーで現像可能な画像形成装置において、
前記検出部で光を検出すべく前記第２画像形成手段の光源からの光を前記第２画像形成手段の感光体と前記検出部とに照射し、その時の前記検知部の出力に基づいて前記回転多面鏡の速度を調整する調整動作を実行する調整手段を有し、
前記調整手段は、前記第１画像形成手段が前記感光体に潜像を形成する前に前記調整動作を行い、
前記第１画像形成手段の現像部材は、前記調整動作が終了する前に、前記現像位置への移動を開始し、前記第２画像形成手段の現像部材は、前記調整動作を実行している間、前記現像位置から退避した位置にあることを特徴とする。
感光体、光を発する光源、及び、現像位置と前記現像位置から退避した位置に移動可能な現像部材をそれぞれ備える第１、第２画像形成手段と、前記第１、第２画像形成手段の光源が発する光を反射する回転多面鏡と、前記第２画像形成手段の光源から発せられ前記回転多面鏡で反射された光を検出する検出部と、を有し、前記第１、第２画像形成手段の各々は、それぞれの光源の発する光を前記回転多面鏡で反射してそれぞれの感光体に照射して潜像を形成し、前記現像位置にあるそれぞれの前記現像部材を用いて前記潜像を前記第１、第２画像形成手段の順にトナーで現像可能な画像形成装置において、
前記検出部で光を検出すべく前記第２画像形成手段の光源からの光を前記第２画像形成手段の感光体と前記検出部とに照射し、その時の前記検知部の出力に基づいて前記回転多面鏡の速度を調整する調整動作を実行する調整手段を有し、
前記調整手段は、前記第１画像形成手段が前記感光体に潜像を形成する前に前記調整動作を行い、
前記第１画像形成手段の現像部材は、前記調整動作が終了する前に、前記現像位置へ到達することを特徴とする。